(57)【要約】【課題】人体に良いとされるマイナスイオンを体内に容易に取り込むことができるようにする。【解決手段】急須における本体１内の底部１ａに、マイナスイオン発生部材１０を固着して設ける。マイナスイオン発生部材１０は、マイナスイオンを発生する貴陽石の粉と粘土とを混ぜたものを焼いたものである。この急須を用いて抽出した茶を飲むことで、人体に良いとされるマイナスイオンを体内に容易に取り込むことができる。【選択図】　図１
2004041557.tif 000002
【特許請求の範囲】
【請求項１】
上面に開口部を有すると共に側面に注ぎ口を有し、内部に茶葉及び湯が入れられる容器状をなす本体と、
この本体の上面に前記開口部を開閉するように装着される蓋とを備えた茶抽出器において、
前記本体の内部及び前記蓋の内面のうちの少なくともどちらか一方に、マイナスイオンを発生するマイナスイオン発生部材を固着したことを特徴とする茶抽出器。
【発明の詳細な説明】
【０００１】
【発明の属する技術分野】
本発明は、マイナスイオンを体内に取り入れることができる茶抽出器に関する。
【０００２】
【発明が解決しようとする課題】
現代の生活環境においては、例えば車の排気ガスによる影響や、パソコンに代表されるＯＡ機器やテレビジョン、電子レンジ、エアコンディショナーなどの電気製品の使用に伴って付近の空気が酸化され、その結果としてプラスイオンが多くなっている。プラスイオンが多い環境で生活していると、人体に種々の悪影響があることが知られている。
【０００３】
本発明は上記事情に鑑みてなされたものであり、その目的は、人体に良いとされるマイナスイオンを体内に容易に取り込むことができる茶抽出器を提供するにある。
【０００４】
【課題を解決するための手段】
上記の目的を達成するために、請求項１の発明は、上面に開口部を有すると共に側面に注ぎ口を有し、内部に茶葉及び湯が入れられる容器状をなす本体と、この本体の上面に前記開口部を開閉するように装着される蓋とを備えた茶抽出器において、前記本体の内部及び前記蓋の内面のうちの少なくともどちらか一方に、マイナスイオンを発生するマイナスイオン発生部材を固着したことを特徴とするものである。
【０００５】
上記構成の茶抽出器を用いて茶を抽出すると、抽出された茶の中に、マイナスイオン発生部材から発生したマイナスイオンが入り込む。その茶を飲むことで、人体に良いとされるマイナスイオンを体内に取り込むことができる。また、上記構成においては、マイナスイオン発生部材は、茶抽出器の本体及び蓋とは別に製造し、それらに対して固着して設ける構成としているから、例えば茶抽出器の本体や蓋を製造する際に粘土にマイナスイオン発生部材を混ぜるようにしたり、或いは、茶抽出器の本体や蓋を焼く際に用いる釉薬にマイナスイオン発生部材を混ぜたりする場合に比べて、容易に製造することができる。
【０００６】
【発明の実施の形態】
以下、本発明を、茶抽出器である陶器製の急須に適用した一実施例について図面を参照して説明する。
まず、図１及び図２において、急須の本体１は、上面に開口部２を有した容器状をなしていて、側面に注ぎ口３と取手４とが当該本体１と一体化するように設けられている。本体１には、注ぎ口３と連通する連通口５が形成されている。注ぎ口３と取手４とは、ほぼ９０度離れている。本体１の上面には、開口部２を開閉する蓋６が着脱可能に装着されている。
【０００７】
本体１の内部には、上記連通口５を内側から覆うように例えばステンレス製の茶漉し網７が着脱可能に取り付けられている。この茶漉し網７は、円形をなしていて、その上端部を上面開口部２の内側周縁部に当接させると共に、下端部を本体１の底部１ａに形成された係合突起８に係合させることにより、本体１の内面に密着するように取り付けられている。
【０００８】
そして、本体１の内部のうち、底部１ａの上面に、マイナスイオン発生部材１０を固着している。このマイナスイオン発生部材１０は、マイナスイオンを多く発生する貴陽石を粉砕した粒子と、陶器用の粘土とを混ぜ、これを焼いて製造したもので、図３に示すように、平面形状が半円形の薄板状をなしている。この場合、マイナスイオン発生部材１０は、当該マイナスイオン発生部材１０と本体１の底部１ａとの間に釉薬として用いられる透明なガラス質の絵の具（フラッピス）を塗布し、約７２０℃で焼くことにより本体１の底部１ａに固着している。なお、マイナスイオン発生部材１０は、約７２０℃で焼いても、マイナスイオンを発生する機能が損なわれることはない。
【０００９】
さて、上記構成において、茶を抽出すべく、本体１の内部に茶葉及び湯を入れた状態で蓋６を被せ、しばらく放置する。これに伴い、茶のエキスが抽出されると共に、マイナスイオン発生部材１０から発生したマイナスイオンが茶（湯）の中に入り込む。そして、抽出された茶を注ぎ口３から湯のみなどに注ぎ、その茶を飲むことで、人体に良いとされるマイナスイオンを体内に取り込むことができる。
【００１０】
体内に取り入れられたマイナスイオンは、血液を通して体全体をめぐり、例えば細胞内の脂肪が酸化して（疲労の原因となる）乳酸が生成されることを抑える作用があり、またこれに伴い、新陳代謝を活発にし、各細胞の機能を活性化させ、疲労の回復を促進させたりする効果があり、さらには、自律神経の機能が良くなるため、内分泌腺の機能も良好となり、身体全体のバランスを良くするといわれている。
【００１１】
上記した実施例においては、次のような効果を得ることができる。すなわち、上記実施例の茶抽出器を用いて抽出した茶を飲むことで、人体に良いとされるマイナスイオンを体内に容易に取り込むことができる。また、マイナスイオンを発生するマイナスイオン発生部材１０は、茶抽出器の本体１及び蓋６とは別に製造し、本体１に対して固着して設ける構成としているから、例えば茶抽出器の本体や蓋を製造する際に粘土にマイナスイオン発生部材を混ぜるようにしたり、或いは、茶抽出器の本体や蓋を焼く際に用いる釉薬にマイナスイオン発生部材を混ぜたりする場合に比べて、容易に製造することができる。
【００１２】
本発明は、上記した実施例にのみ限定されるものではなく、次のように変形または拡張できる。
茶抽出器としては、陶器製の急須に限られず、金属製の急須や、土瓶、鉄瓶などであっても良い。
【００１３】
マイナスイオン発生部材１０は、本体１の内部に固着することに代えて、蓋６の内面に固着する構成としても良く、また、本体１の内部と蓋６の内面との双方に固着する構成としても良い。
マイナスイオン発生部材１０において、マイナスイオンを発生する部材として、貴陽石に代えてトルマリン（電気石）を用いることもできる。
【００１４】
【発明の効果】
以上の説明から明らかなように、本発明の茶抽出器によれば、当該茶抽出器を用いて抽出した茶を飲むことで、人体に良いとされるマイナスイオンを体内に容易に取り込むことができる。また、マイナスイオンを発生するマイナスイオン発生部材は、茶抽出器の本体及び蓋とは別に製造し、それらに対して固着して設ける構成としているから、マイナスイオンを発生する機能を備えた茶抽出器を容易に製造することができる。
【図面の簡単な説明】
【図１】本発明の一実施例を示す縦断側面図
【図２】蓋を除いた状態で示す平面図
【図３】マイナスイオン発生部材の斜視図
【符号の説明】
図面中、１は本体、２は開口部、３は注ぎ口、６は蓋、１０はマイナスイオン発生部材を示す。
【図１】
2004041557.tif 000003
【図２】
2004041557.tif 000004
【図３】
2004041557.tif 000005